(57)【特許請求の範囲】
【請求項１】
撮像装置と通信可能に接続される情報処理装置であって、
前記撮像装置から取得した画像情報を表示する表示手段と、
前記撮像装置のモードが撮影モードか再生モードのいずれのモードであるかを示すモード情報を取得するモード取得手段と、
前記モード取得手段により取得したモード情報に基づいて、前記表示手段の表示形態を制御する制御手段と
を備えることを特徴とする情報処理装置。
【請求項２】
前記制御手段は、前記表示手段での表示形態を前記撮像装置での表示形態に対応させることを特徴とする請求項１に記載の情報処理装置。
【請求項３】
前記撮像装置に対する動作指示を入力するための操作手段を備え、
前記制御手段は、前記操作手段により入力された動作指示を前記撮像装置へ与えることを特徴とする請求項１に記載の情報処理装置。
【請求項４】
前記撮像装置が接続されたことを検出すると共に、前記撮像装置のモード情報を自動的に取得する通信手段を更に備えることを特徴とする請求項１に記載の情報処理装置。
【請求項５】
前記制御手段は、前記通信手段を介して前記撮像装置の動作制御を行なうことを特徴とする請求項４に記載の情報処理装置。
【請求項６】
前記制御手段は、前記撮像装置のモードの切り替えに応じて、前記表示手段の表示形態を切り替える制御を行なうことを特徴とする請求項１に記載の情報処理装置。
【請求項７】
前記制御手段は、前記通信手段を介して、前記撮像装置のモードを切り替えると共に、そのモード切り替えに応じて、前記表示手段の表示形態を切り替える制御を行なうことを特徴とする請求項４に記載の情報処理装置。
【請求項８】
前記撮像装置の再生モードは、当該撮像装置内の画像を１枚表示するシングル再生モードと、複数の画像を表示するマルチ再生モードとを有し、
前記制御手段は、前記シングル再生モードのときには前記表示手段が前記撮像装置内の画像のうちの１枚の画像を表示するための制御と、前記マルチ再生モードのときには前記表示手段が前記撮像装置内の画像のうちの複数枚の画像を表示するための制御を実行することを特徴とする請求項１に記載の情報処理装置。
【請求項９】
前記制御手段は、前記撮像装置が撮影モードの場合、前記撮像装置から転送されてくる撮影画像を前記表示手段がリアルタイムに表示するための制御を行なうことを特徴とする請求項１に記載の情報処理装置。
【請求項１０】
前記制御手段は、前記撮像装置が前記シングル再生モード又は前記マルチ再生モードの場合、前記撮像装置に設けられた操作部での操作に基づいて、前記表示手段の表示画像を当該画像より撮影時間の古い画像又は新しい画像に切り替える制御を行なうことを特徴とする請求項８に記載の情報処理装置。
【請求項１１】
前記撮像装置の撮影モードは、画像のパノラマ合成を実行するためのパノラマ合成モードを含み、
前記制御手段は、前記撮像装置が前記パノラマ合成モードの場合、前記表示手段が前記パノラマ合成を実行するための画面を表示するように前記表示手段を制御することを特徴とする請求項１に記載の情報処理装置。
【請求項１２】
前記制御手段は、前記撮像装置の表示画像と同一の画像を表示するように前記表示手段を制御することを特徴とする請求項１に記載の情報処理装置。
【請求項１３】
前記制御手段は、前記撮像装置に設けられた操作部が操作され前記撮像装置での表示画像が切り替わった場合、その切り替わった後の画像を取得して表示するように前記表示手段を制御することを特徴とする請求項１に記載の情報処理装置。
【請求項１４】
前記制御手段は、前記表示手段にて表示される前記撮像装置の画像情報を記録するための制御を行なうことを特徴とする請求項１に記載の情報処理装置。
【請求項１５】
情報処理装置と通信可能に接続される撮像装置であって、
撮影モードと再生モードのモード切り替えを指示するためのモード切り替え指示手段と、
前記モード切り替え指示手段によりモード切り替え指示が行われた場合、前記情報処理装置の表示形態を制御するためのモード情報を送信する送信手段と
を備えることを特徴とする撮像装置。
【請求項１６】
前記モード切り替え指示手段により撮影モードへの切り替えが指示された場合、当該撮像装置のモードを撮影モードに切り替えるモード切り替え手段を備え、
前記送信手段は、撮影モードにおいて撮影指示がなされた場合、撮影動作を開始し、当該撮影された画像情報を前記情報処理装置に送信することを特徴とする請求項１５に記載の撮像装置。
【請求項１７】
撮像装置と通信可能に接続される情報処理装置の制御方法であって、
前記撮像装置から取得した画像情報を表示手段に表示する表示ステップと、
前記撮像装置のモードが撮影モードか再生モードのいずれのモードであるかを示すモード情報を取得するモード取得ステップと、
前記モード取得ステップにより取得したモード情報に基づいて、前記表示手段の表示形態を制御する制御ステップと
を備えることを特徴とする情報処理装置の制御方法。
【請求項１８】
前記制御ステップは、前記表示手段での表示形態を前記撮像装置での表示形態に対応させることを特徴とする請求項１７に記載の情報処理装置の制御方法。
【請求項１９】
前記情報処理装置は、前記撮像装置に対する動作指示を入力するための操作手段を備えており、
前記制御ステップは、前記操作手段により入力された動作指示を前記撮像装置へ与えることを特徴とする請求項１７に記載の情報処理装置の制御方法。
【請求項２０】
前記情報処理装置は、前記撮像装置が接続されたことを検出すると共に、前記撮像装置のモード情報を自動的に取得する通信手段を備えることを特徴とする請求項１７に記載の情報処理装置の制御方法。
【請求項２１】
前記制御ステップは、前記通信手段を介して前記撮像装置の動作制御を行なうことを特徴とする請求項２０に記載の情報処理装置の制御方法。
【請求項２２】
前記制御ステップは、前記撮像装置のモードの切り替えに応じて、前記表示手段の表示形態を切り替える制御を行なうことを特徴とする請求項１７に記載の情報処理装置の制御方法。
【請求項２３】
前記制御ステップは、前記通信手段を介して、前記撮像装置のモードを切り替えると共に、そのモード切り替えに応じて、前記表示手段の表示形態を切り替える制御を行なうことを特徴とする請求項２０に記載の情報処理装置の制御方法。
【請求項２４】
前記撮像装置の再生モードは、当該撮像装置内の画像を１枚表示するシングル再生モードと、複数の画像を表示するマルチ再生モードとを有し、
前記制御ステップは、前記シングル再生モードのときには前記表示手段が前記撮像装置内の画像のうちの１枚の画像を表示するための制御と、前記マルチ再生モードのときには前記表示手段が前記撮像装置内の画像のうちの複数枚の画像を表示するための制御を実行することを特徴とする請求項１７に記載の情報処理装置の制御方法。
【請求項２５】
前記制御ステップは、前記撮像装置が撮影モードの場合、前記撮像装置から転送されてくる撮影画像を前記表示手段がリアルタイムに表示するための制御を行なうことを特徴とする請求項１７に記載の情報処理装置の制御方法。
【請求項２６】
前記制御ステップは、前記撮像装置が前記シングル再生モード又は前記マルチ再生モードの場合、前記撮像装置に設けられた操作部での操作に基づいて、前記表示手段の表示画像を当該画像より撮影時間の古い画像又は新しい画像に切り替える制御を行なうことを特徴とする請求項２４に記載の情報処理装置の制御方法。
【請求項２７】
前記撮像装置の撮影モードは、画像のパノラマ合成を実行するためのパノラマ合成モードを含み、
前記制御ステップは、前記撮像装置が前記パノラマ合成モードの場合、前記表示手段が前記パノラマ合成を実行するための画面を表示するように前記表示手段を制御することを特徴とする請求項１７に記載の情報処理装置の制御方法。
【請求項２８】
前記制御ステップは、前記撮像装置の表示画像と同一の画像を表示するように前記表示手段を制御することを特徴とする請求項１７に記載の情報処理装置の制御方法。
【請求項２９】
前記制御ステップは、前記撮像装置に設けられた操作部が操作され前記撮像装置での表示画像が切り替わった場合、その切り替わった後の画像を取得して表示するように前記表示手段を制御することを特徴とする請求項１７に記載の情報処理装置の制御方法。
【請求項３０】
前記制御ステップは、前記表示手段にて表示される前記撮像装置の画像情報を記録するための制御を行なうことを特徴とする請求項１７に記載の情報処理装置の制御方法。
【請求項３１】
情報処理装置と通信可能に接続される撮像装置の制御方法であって、
撮影モードと再生モードのモード切り替えを指示するモード切り替え指示ステップと、
前記モード切り替え指示ステップによりモード切り替え指示が行われた場合、前記情報処理装置の表示形態を制御するためのモード情報を送信する送信ステップと
を備えることを特徴とする撮像装置の制御方法。
【請求項３２】
前記モード切り替え指示ステップにより撮影モードへの切り替えが指示された場合、当該撮像装置のモードを撮影モードに切り替えるモード切り替えステップを備え、
前記送信ステップは、撮影モードにおいて撮影指示がなされた場合、撮影動作を開始し、当該撮影された画像情報を前記情報処理装置に送信することを特徴とする請求項３１に記載の撮像装置の制御方法。
【請求項３３】
撮像装置と通信可能に接続される情報処理装置の制御方法をコンピュータに実行させるためのプログラムを記録したコンピュータ読み取り可能な記録媒体であって、
前記撮像装置から取得した画像情報を表示手段に表示する表示手順と、
前記撮像装置のモードが撮影モードか再生モードのいずれのモードであるかを示すモード情報を取得するモード取得手順と、
前記モード取得手順により取得したモード情報に基づいて、前記表示手段の表示形態を制御する制御手順と
をコンピュータに実行させるためのプログラムを記録したことを特徴とするコンピュータ読み取り可能な記録媒体。
【請求項３４】
情報処理装置と通信可能に接続される撮像装置の制御方法をコンピュータに実行させるためのプログラムを記録したコンピュータ読み取り可能な記録媒体であって、
撮影モードと再生モードのモード切り替えを指示するモード切り替え指示手順と、
前記モード切り替え指示手順によりモード切り替え指示が行われた場合、前記情報処理装置の表示形態を制御するためのモード情報を送信する送信手順と
をコンピュータに実行させるためのプログラムを記録したことを特徴とするコンピュータ読み取り可能な記録媒体。
【発明の詳細な説明】
【０００１】
【発明の属する技術分野】
本発明は、例えば、ディジタルカメラで得られた画像を、パーソナルコンピュータ（以下、単に「パソコン」又は「ＰＣ」と言う）に取り込んで表示するための技術に関するものである。
【０００２】
【従来の技術】
従来より例えば、ディジタルカメラにより撮影して得られた画像をパソコンに取り込み、該パソコンにて表示することなどが多く行なわれている。
この場合、利用者は、先ず、ディジタルカメラをシリアルケーブル等によりパソコンに接続すると共に、ディジタルカメラのモードをＰＣ接続モードに切り替える。その後、パソコンにて所定のアプリケーションソフトを起動させ、その起動による表示画面上から、画像の取り込みや表示等の操作を行うためのメニューやボタンを探し出し、画像の取り込みや表示等の操作を行う。
【０００３】
【発明が解決しようとする課題】
しかしながら、従来では、ディジタルカメラにより撮影して得られた画像をパソコンに取り込んで表示等するためには、非常に煩雑な操作が必要であった。
例えば、ディジタルカメラから画像をパソコンに取り込む場合、ディジタルカメラのモードをパソコンとの接続モードに切り替えてから、パソコンにおいて、画像取込のための操作（ソフトウェアの起動等）を行なう必要がある。このように、画像取込のためには、ディジタルカメラとパソコンの両方を操作する必要があり、これは非常に面倒である。また、ディジタルカメラの操作には慣れていても、パソコンの操作に不慣れな利用者にとっては、パソコンでのソフトを操作すること等が非常に困難である。
【０００４】
そこで、本発明は、上記の欠点を除去するために成されたもので、ディジタルカメラ等の撮像装置により撮影して得られた画像をパソコン等の情報処理装置にて容易に且つ効率的に扱うことを可能とすることを目的とする。
【０００５】
【課題を解決するための手段】
本発明の情報処理装置は、撮像装置と通信可能に接続される情報処理装置であって、前記撮像装置から取得した画像情報を表示する表示手段と、前記撮像装置のモードが撮影モードか再生モードのいずれのモードであるかを示すモード情報を取得するモード取得手段と、前記モード取得手段により取得したモード情報に基づいて、前記表示手段の表示形態を制御する制御手段とを備える。
【０００６】
本発明の撮像装置は、情報処理装置と通信可能に接続される撮像装置であって、撮影モードと再生モードのモード切り替えを指示するためのモード切り替え指示手段と、前記モード切り替え指示手段によりモード切り替え指示が行われた場合、前記情報処理装置の表示形態を制御するためのモード情報を送信する送信手段とを備える。
【０００７】
本発明の情報処理装置の制御方法は、撮像装置と通信可能に接続される情報処理装置の制御方法であって、前記撮像装置から取得した画像情報を表示手段に表示する表示ステップと、前記撮像装置のモードが撮影モードか再生モードのいずれのモードであるかを示すモード情報を取得するモード取得ステップと、前記モード取得ステップにより取得したモード情報に基づいて、前記表示手段の表示形態を制御する制御ステップとを備える。
【０００８】
本発明の撮像装置の制御方法は、情報処理装置と通信可能に接続される撮像装置の制御方法であって、撮影モードと再生モードのモード切り替えを指示するモード切り替え指示ステップと、前記モード切り替え指示ステップによりモード切り替え指示が行われた場合、前記情報処理装置の表示形態を制御するためのモード情報を送信する送信ステップとを備える。
【０００９】
本発明のコンピュータ読み取り可能な記録媒体は、撮像装置と通信可能に接続される情報処理装置の制御方法をコンピュータに実行させるためのプログラムを記録したコンピュータ読み取り可能な記録媒体であって、前記撮像装置から取得した画像情報を表示手段に表示する表示手順と、前記撮像装置のモードが撮影モードか再生モードのいずれのモードであるかを示すモード情報を取得するモード取得手順と、前記モード取得手順により取得したモード情報に基づいて、前記表示手段の表示形態を制御する制御手順とをコンピュータに実行させるためのプログラムを記録する。
本発明のコンピュータ読み取り可能な記録媒体における他の態様は、情報処理装置と通信可能に接続される撮像装置の制御方法をコンピュータに実行させるためのプログラムを記録したコンピュータ読み取り可能な記録媒体であって、撮影モードと再生モードのモード切り替えを指示するモード切り替え指示手順と、前記モード切り替え指示手順によりモード切り替え指示が行われた場合、前記情報処理装置の表示形態を制御するためのモード情報を送信する送信手順とをコンピュータに実行させるためのプログラムを記録する。
【００４１】
【発明の実施の形態】
以下、本発明の実施の形態について図面を用いて説明する。
【００４２】
本発明は、例えば、図１に示すようなディジタルカメラ制御装置１００に適用される。
このディジタルカメラ制御装置１００は、装置全体の動作制御を司るＣＰＵ等を有するパソコンによって実現されるものであり、ディジタルカメラ２００と接続可能なようになされている。また、ディジタルカメラ制御装置１００は、アプリケーションソフトとして実装されているディジタルカメラ制御ソフト１０１と、通信ドライバ１０２とを備えている。
以下、本実施の形態でのディジタルカメラ制御装置１００及びディジタルカメラ２００について具体的に説明する。
【００４３】
［ディジタルカメラ制御装置１００のディジタルカメラ制御ソフト１０１及び通信ドライバ１０２について］
【００４４】
ディジタルカメラ制御ソフト１０１は、ユーザがディジタルカメラ２００に対する操作等を行なうためのものであり、このため、ユーザからの操作を通信ドライバ１０２を介してディジタルカメラ２００に伝えるようになされている。
また、ディジタルカメラ制御ソフト１０１は、ディジタルカメラ２００に記録された画像や、ディジタルカメラ２００の後述するモード等の情報を通信ドライバ１０２を介して取得し、その情報を表示部１０３にて表示することでユーザに認識させる機能をも備えている。
【００４５】
ここで、ディジタルカメラ制御装置１００は、プラグ＆プレイ（Plug-in and Play）と呼ばれる機構を有しており、ディジタルカメラ２００が、例えば、ＵＳＢ（ユニバーサルシリアルバス）接続されるようになされている。
上記プラグ＆プレイとは、ディジタルカメラ２００がディジタルカメラ制御装置１００に接続されたことや、その接続中にディジタルカメラ２００の状態が変化したこと等を、ディジタルカメラ２００がディジタルカメラ制御装置１００に対して割り込みを発生させることで、ディジタルカメラ２００がディジタルカメラ制御装置１００に通知する機構のことである。
【００４６】
そこで、通信ドライバ１０２は、ディジタルカメラ２００との通信を行うためのものであり、ディジタルカメラ２００とディジタルカメラ制御ソフト１０１の間で、画像等の情報をやり取りするが、特に、ディジタルカメラ１０３が自装置（ディジタルカメラ制御装置１００）に接続された瞬間、上述のプラグ＆プレイによって自動的にそれを検知し、さらにディジタルカメラ２００のモードを取得する。さらに、通信ドライバ１０２は、ディジタルカメラ２００のモードが途中で切り替えられたこと等も、上述のプラグ＆プレイによって自動的に検知する。
【００４７】
［ディジタルカメラ２００のモードについて］
ディジタルカメラ２００のモードとしては、次のようなモード（１）〜（４）がある。これらのモードは、ディジタルカメラ２００に設けられている操作部２０２のモード切替ボタン（図示せず）を操作することで、自在に切替え可能なようになされている。
【００４８】
（１）シングル再生モード
本モードは、ディジタルカメラ２００に記録された複数の画像のうち、１つの画像のみを、ディジタルカメラ２００に設けられた表示部２０１の液晶画面（以下、「液晶画面２０１」とも言う）に表示させるモードである。
また、本モードでは、１つの画像が液晶画面２０１に表示されるため、１つの画像を拡大して大きく表示させることもできるようになされている。
さらに、本モードでは、ディジタルカメラ２００に設けられている操作部２０２の「＋ボタン」（図示せず）を押下することで、その時点で液晶画面２０１に表示されている画像の次に撮影時間の新しい画像を液晶画面２０１に表示させることができ、一方、操作部２０２の「−ボタン」（図示せず）を押下することで、その時点で液晶画面２０１に表示されている画像の次に撮影時間の古い画像を液晶画面２０１に表示させることができるようになされている。
【００４９】
（２）マルチ再生モード
本モードは、ディジタルカメラ２００に記録された複数の画像のうちの、所定数の画像を、ディジタルカメラ２００に設けられた液晶画面２０１に表示させるモードである。例えば、液晶画面２０１に、９枚の画像を縦３枚、横３枚で配置して表示させる。本モードでは、表示させる画像の数に従って、実際の表示画像のサイズが小さくなるが、一度に多くの画像を表示することができる。
また、本モードでは、ディジタルカメラ２００に設けられている操作部２０２の「＋ボタン」（図示せず）を押下することで、その時点で液晶画面２０１に表示されている画像よりも撮影時間の新しい画像を所定枚数（上記の例では９枚）液晶画面２０１に表示させることができ、一方、操作部２０２の「−ボタン」（図示せず）を押下することで、その時点で液晶画面２０１に表示されている画像よりも撮影時間の古い画像を所定枚数（上記の例では９枚）液晶画面２０１に表示させることができるようになされている。
【００５０】
（３）撮影モード
本モードは、ディジタルカメラ２００で被写体を撮影し、それにより得られた画像を、ディジタルカメラ２００に内蔵されたメモリ２０３へ記録するためのモードである。例えば、ディジタルカメラ２００を本モードに設定し、操作部２０２のレリーズボタン（図示せず）を押下することで、ディジタルカメラ２００にて所定の撮影動作が開始され、それにより得られた画像がファイルとしてメモリ２０３へ記録される。
また、本モードでは、ディジタルカメラ２００の液晶画面２０１を所謂ビューファインダとして使用できるようになされており、ユーザは、この液晶画面２０１により、撮影対象となる被写体を確認しながら撮影することができる。
【００５１】
（４）パノラマアシストモード
例えば、複数に分割して撮影して得られた複数の画像を、ＰＣで合成してパノラマ画像を作成するソフトウェアが近年提供されているが、このようなソフトウェアを使用する等してパノラマ合成する場合には、それぞれの画像に互いに一定のオーバーラップする領域（重なり部分の領域）を持っていなければならない。そこで、本モードは、上記の場合に対応するためのモードであり、直前に撮影して得られた画像の一部分を透過して液晶画面２０１に表示させて、撮影するモードである。これにより、直前に撮影して得られた画像と見比べながら撮影することができるため、パノラマ合成を行ないやすい画像を得ることができる。
【００５２】
［ディジタルカメラ制御装置１００のディジタルカメラ制御ソフト１０１による画面表示について］
図２は、ディジタルカメラ制御ソフト１０１の起動により、ディジタルカメラ制御装置１００の表示部１０３へ表示される画面の一例を示したものである。ここでは、説明の簡単のために、ディジタルカメラ制御装置１００に接続されたディジタルカメラ２００がシングル再生モードに設定されているものとする。
【００５３】
上記図２において、”３０８”は、ディジタルカメラ２００がシングル再生モードに設定されていることを示すシングル再生モードボタンである。ここでは、ディジタルカメラ２００がシングル再生モードに設定されているものとしているため、これに従って、シングル再生モードボタン３０８は、プッシュ状態（ボタンが押し込まれた状態）になっている。
尚、ここでは、上記図２及び以降の説明に用いる図において、ボタンのプッシュ状態は、該ボタン部分を太線で囲むことで示すものとする。
【００５４】
”３０７”は、ディジタルカメラ２００がマルチ再生モードに設定されている場合にプッシュ状態となるマルチ再生モードボタンである。
”３０６”は、ディジタルカメラ２００が撮影モードに設定されている場合にプッシュ状態となる撮影モードボタンである。
”３０５”は、ディジタルカメラ２００がパノラマアシストモードに設定されている場合にプッシュ状態となるパノラマアシストモードボタンである。
【００５５】
上述のそれぞれのボタン３０５〜３０８は、本装置１００に接続されているディジタルカメラ２００の現在のモードを示すだけでなく、そのディジタルカメラ２００のモードを切り替えるためにも使用することができるようになされている。
例えば、ディジタルカメラ２００の現在のモードが”シングル再生モード”である場合、マルチ再生モードボタン３０７を押下することで、ディジタルカメラ２００のモードが、シングル再生モードからマルチ再生モードへと切り替わり、後述する画像表示領域３００での表示画面も、マルチ再生モードの画面に切り替わる。
また、本装置１００に接続されているディジタルカメラ２００本体にてモードの切り替えが行われた場合にも、本装置１００のそれぞれのボタン３０５〜３０８のうち、対応するボタンが自動的にプッシュ状態となるようになされている。
すなわち、本装置１００のボタン３０５〜３０８のプッシュ状態と、本装置１００に接続されているディジタルカメラ２００本体のモードの状態とは常に連動しており、さらに、本装置１００とディジタルカメラ２００の何れかでモードの切り替えを行って、両者のモードが常に連動するようになされている。
【００５６】
また、上記２４の”３００”は、本装置１００に接続されているディジタルカメラ２００のメモリ２０３に記録された画像を表示する画像表示領域を示し、ディジタルカメラ２００の現在のモードに応じて、様々な表示形式で画像を表示するようになされている。
ここでは、ディジタルカメラ２００がシングル再生モードに設定されているものとしているため、ディジタルカメラ２００の液晶画面２０１での表示画面状態と同様に、１つの画像３０１が画像表示領域３００に表示される。
【００５７】
また、”３０４”は、画像表示領域３０１に現在表示されている画像３０１よりも撮影時間の古い画像を表示させるための前画像表示ボタン（「−ボタン」）である。
一方、”３０３”は、画像表示領域３０１に現在表示されている画像３０１よりも撮影時間の新しい画像を表示させるための次画像表示ボタン（「＋ボタン」）である。
”３０２”は、本装置１００に接続されているディジタルカメラ２００に対して、撮影動作を実行させるための撮影ボタンである。
【００５８】
［ディジタルカメラ制御装置１００の動作について：ディジタルカメラ２００の接続時］
図３は、ディジタルカメラ２００がディジタルカメラ制御装置１００に接続された場合の、ディジタルカメラ制御装置１００の通信ドライバ１０２及びディジタルカメラ制御ソフト１０１の動作を示すものである。
【００５９】
ステップＳ４０１：
先ず、ディジタルカメラ２００がディジタルカメラ制御装置１００に接続されると、ディジタルカメラ２００は、割り込みを発生する。
通信ドライバ１０２は、ディジタルカメラ２００による割り込み発生によって、ディジタルカメラ２００がディジタルカメラ制御装置１００に接続されたことを自動的に検知する。そして、通信ドライバ１０２は、所定の通信初期化等の処理を行う。
【００６０】
ステップＳ４０２：
次に、通信ドライバ１０２は、ディジタルカメラ２００の現在のモードを取得する。
例えば、ディジタルカメラ２００が通信ドライバ１０２に対して現在設定されているモードを伝え、通信ドライバ１０２がこれを取得する。或いは、通信ドライバ１０２が、ディジタルカメラ１０２に対して現在のモードを問い合わせる。
【００６１】
ステップＳ４０３：
そして、通信ドライバ１０２は、ステップＳ４０２にてディジタルカメラ２００の現在のモードを取得した後、ディジタルカメラ制御ソフト１０１を起動する。このとき、ディジタルカメラ制御ソフト１０１は、通信ドライバ１０２にて取得されたディジタルカメラ２００の現在のモードに応じて、上記図２に示したような画面を表示部１０３へ表示する。すなわち、ディジタルカメラ制御ソフト１０１は、ディジタルカメラ２００の現在のモードに応じた次のような処理（１）〜（４）を実行することで、ディジタルカメラ２００の現在のモードに応じた表示形態で表示部１０３へ画面表示する。
【００６２】
（１）ディジタルカメラ２００がシングル再生モードである場合
ディジタルカメラ制御ソフト１０１は、そのモードに対応して、ディジタルカメラ２００のメモリ２０３に記録されている画像のうちの所定の画像（ディジタルカメラ２００の液晶画面２０１で表示される画像）を、通信ドライバ１０２を介してディジタルカメラ２００から取得する。そして、ディジタルカメラ制御ソフト１０１は、その取得した画像を画像表示領域３００に表示する（上記図２参照）。この画像は、例えば、撮影時間が一番最近の画像である。
【００６３】
このとき、ディジタルカメラ２００では、ディジタルカメラ制御ソフト１０１が取得した画像（ここでは画像３０１）と同じ画像が、液晶画面２０１で表示される。
すなわち、ディジタルカメラ制御ソフト１０１による画面（画像表示領域３００）上には、ディジタルカメラ２００にて表示されている画像と同じ画像が表示される。
【００６４】
尚、画像表示領域３００に表示されている画像３０１を、ディジタルカメラ制御装置１００のハードディスク（図示せず）等に保存する場合、ユーザは、ディジタルカメラ制御ソフト１０１による画面上にボタン３０２〜３０８と同様に設けられた保存ボタンやメニュー（図示せず）を操作することで、画像３０１の保存が行えるようになされている。
【００６５】
（２）ディジタルカメラ２００がマルチ再生モードである場合
ディジタルカメラ制御ソフト１０１は、そのモードに対応して、ディジタルカメラ２００のメモリ２０３に記録されている画像のうちの所定枚数の画像（ディジタルカメラ２００の液晶画面２０１で表示される画像）を、通信ドライバ１０２を介してディジタルカメラ２００から取得する。そして、ディジタルカメラ制御ソフト１０１は、その取得した各画像を画像表示領域３００に表示する。
このときの画像表示領域３００の表示状態は、例えば、図４に示すようになる。ここでは、表示する画像の所定枚数を９枚とし、これらの画像３１０（１）〜３１０（９）を撮影時間順に、横３枚、縦３枚に配置して表示するものとする。
【００６６】
このとき、ディジタルカメラ２００では、ディジタルカメラ制御ソフト１０１が取得した各画像（ここでは画像３１０（１）〜３１０（９））と同じ画像が、液晶画面２０１で表示される。
すなわち、ディジタルカメラ制御ソフト１０１による画面（画像表示領域３００）上には、ディジタルカメラ２００にて表示されている画像と同じ画像が表示される。
【００６７】
尚、画像表示領域３００に表示されている画像３１０（１）〜３１０（９）の一部又は全ての画像を、ディジタルカメラ制御装置１００のハードディスク（図示せず）等に保存する場合、ユーザは、ディジタルカメラ制御ソフト１０１による画面上にボタン３０２〜３０８と同様に設けられた保存ボタンやメニュー（図示せず）を操作することで、所望する画像の保存が行えるようになされている。
【００６８】
（３）ディジタルカメラ２００が撮影モードである場合
ディジタルカメラ制御ソフト１０１は、ディジタルカメラ２００がその時点で撮影して取得している画像（動画像）を、通信ドライバ１０２を介してディジタルカメラ２００からリアルタイムに取得する。そして、ディジタルカメラ制御ソフト１０１は、画像表示領域３００をビューファインダのように使用して、ディジタルカメラ２００から取得した画像を表示する。
このときの画像表示領域３００の表示状態は、例えば、図５に示すようになる。この図５に示すように、画像表示領域３００には、ディジタルカメラ２００にて撮影して得られている画像３２０（動画像）がリアルタイムに映し出される。
【００６９】
このとき、ディジタルカメラ２００では、液晶画面２０１がビューファインダとして使用される等して、現在撮影している被写体映像が映し出される。
すなわち、この場合も同様に、ディジタルカメラ制御ソフト１０１による画面（画像表示領域３００）上には、ディジタルカメラ２００にて表示されている画像（動画像）と同じ画像（動画像）が表示される。
【００７０】
尚、画像表示領域３００に表示されている画像３２０（動画像）を、ディジタルカメラ制御装置１００のハードディスク（図示せず）等に保存（録画）できるようにしてもよい。この場合、上述したシングル再生モードやマルチ再生モード時での画像保存と同様に、ディジタルカメラ制御ソフト１０１による画面上にボタン３０２〜３０８と同様に設けられた録画ボタンやメニュー（図示せず）を操作することで、録画が行えるようにする。
【００７１】
（４）ディジタルカメラ２００がパノラマアシストモードである場合
ディジタルカメラ制御ソフト１０１は、ディジタルカメラ２００のメモリ２０３に記録されている、パノラマアシストモードによる撮影で得られた画像を、通信ドライバ１０２を介してディジタルカメラ２００から取得する。そして、ディジタルカメラ制御ソフト１０１は、その取得した各画像を画像表示領域３００に表示する。このとき、パノラマアシストモードによる撮影で得られた画像が複数あった場合、それらを全て画像表示領域３００に表示する。
このときの画像表示領域３００の表示状態は、例えば、図６に示すようになる。この図６では、パノラマアシストモードによる撮影で得られた画像が３枚あった場合を示しており、それぞれの画像が領域３００ａ、３００ｂ、３００ｃに対応して表示される。また、それぞれの領域、例えば、領域３３０ａ（Ｎｏ．１の領域）には、分割撮影して得られた画像（ここでは３枚に分割して撮影して得られた画像）３３０（１）、３３０（２）、３３０（３）が表示される。
【００７２】
尚、画像表示領域３００に表示されている各画像を合成する場合、ユーザは、ディジタルカメラ制御ソフト１０１による画面上にボタン３０２〜３０８と同様に設けられた画像処理ボタンやメニュー（図示せず）を操作することで、画像合成や、その結果得られた合成画像の保存等が行えるようになされている。また、合成画像は、別の画面上（図示せず）に表示されるようになされている。
【００７３】
［ディジタルカメラ制御装置１００の動作について：ディジタルカメラ制御装置１００側からディジタルカメラ２００に対する操作時］
ディジタルカメラ制御装置１００にディジタルカメラ２００を接続した後、ユーザは、上述したようなディジタルカメラ制御ソフト１０１による画面上の各種ボタンを操作することによって、ディジタルカメラ２００に対して様々な操作を行うことができる。
図７は、このときのディジタルカメラ制御装置１００の動作を示したものである。
【００７４】
ステップＳ４１１：
先ず、ユーザは、ディジタルカメラ２００にある動作を行わせるために、ディジタルカメラ制御ソフト１０１による画面上のボタンのうちの対応するボタンを操作する。この操作情報は、ディジタルカメラ制御ソフト１０１により認識される。
【００７５】
ステップＳ４１２：
ディジタルカメラ制御ソフト１０１は、ステップＳ４１２にて認識したユーザからの操作に基づいて、詳細は後述するが、現在表示部１０３にて表示している画面の表示形態等を変更する。
【００７６】
ステップＳ４１３：
そして、ディジタルカメラ制御ソフト１０１は、ステップＳ４１２にて認識したユーザからの操作に基づいて、それに対応する動作指示を、通信ドライバ１０２を介してディジタルカメラ２００へ与える。
【００７７】
ここで、上述のステップＳ４１２での処理を具体的に説明すると、まず、ディジタルカメラ制御ソフト１０１による画面上には、２種類のボタン群が設けられている。すなわち、ディジタルカメラ２００のモードを切り替えるためのボタン（ここでは、パノラマアシストモードボタン３０５、撮影モードボタン３０６、マルチ再生モードボタン３０７、シングル再生モードボタン３０７：上記図２参照）と、ディジタルカメラ２００の操作部２０２に設けられている各種スイッチと同等の機能を有するボタン（ここでは、前画像表示ボタン３０４、次画像表示ボタン３０３、撮影ボタン３０２）とが設けられている。
【００７８】
そこで、ディジタルカメラ２００のモードを切り替えるためのボタンが操作された場合、ディジタルカメラ制御ソフト１０１は、その操作に従ったモードにディジタルカメラ２００の現在のモードが切り替わるように、通信ドライバ１０２を介してディジタルカメラ２００に指示する。これにより、ディジタルカメラ２００の現在のモードが、ディジタルカメラ制御ソフト１０１による画面上での操作に従ったモードに切り替わる。
その後のディジタルカメラ制御ソフト１０１による画面上の状態は、上記図３のステップＳ４０３での状態と同様の状態となる。例えば、ユーザにより、マルチ再生モードボタン３０７が押下された場合、ディジタルカメラ制御ソフト１０１による画面は、上記図４に示したような状態となる。
【００７９】
また、ディジタルカメラ２００の操作部２０２に設けられている各種スイッチと同等の機能を有するボタン、すなわちここでは前画像表示ボタン３０４、次画像表示ボタン３０３、撮影ボタン３０２が操作された場合、ディジタルカメラ制御ソフト１０１は、ディジタルカメラ２００のその時点でのモードに応じて、次のような処理を実行する。
【００８０】
（１）ディジタルカメラ２００がシングル再生モードである場合
ディジタルカメラ制御ソフト１０１は、上述したように、上記図２に示したような画面を表示部１０３に表示する。この画面上では、前画像表示ボタン３０４と次画像表示ボタン３０３の操作が可能となる。
【００８１】
ユーザから前画像表示ボタン３０４が押下されると、ディジタルカメラ制御ソフト１０１は、その前画像表示ボタン３０４に対応する動作指示を、通信ドライバ１０２を介してディジタルカメラ２００へ与える。これにより、ディジタルカメラ２００では、操作部２０２の「−ボタン」が操作された場合と同様に、液晶画面２０１に現在表示されている画像よりも撮影時間の古い画像のうち一番新しい画像が液晶画面２０１に表示される。
そして、ディジタルカメラ制御ソフト１０１は、ディジタルカメラ２００の液晶画面２０１に現在表示されている画像（画像表示領域３００に表示されている画像よりも撮影時間の古い画像のうち一番新しい画像）を、通信ドライバ１０２を介してディジタルカメラ２００から取得し、それを画像表示領域３００に表示する。
したがって、ディジタルカメラ２００の液晶表示２０１に表示されている画像と、ディジタルカメラ制御ソフト１０１による画面上に表示されている画像とは、常に同一の関係にある。
【００８２】
また、ユーザから次画像表示ボタン３０３が押下されると、ディジタルカメラ制御ソフト１０１は、その次画像表示ボタン３０３に対応する動作指示を、通信ドライバ１０２を介してディジタルカメラ２００へ与える。これにより、ディジタルカメラ２００では、操作部２０２の「＋ボタン」が操作された場合と同様に、液晶画面２０１に現在表示されている画像よりも撮影時間の新しい画像のうち一番古い画像が液晶画面２０１に表示される。
そして、ディジタルカメラ制御ソフト１０１は、ディジタルカメラ２００の液晶画面２０１に現在表示されている画像（画像表示領域３００に表示されている画像よりも撮影時間の新しい画像のうち一番古い画像）を、通信ドライバ１０２を介してディジタルカメラ２００から取得し、それを画像表示領域３００に表示する。
したがって、ディジタルカメラ２００の液晶表示２０１に表示されている画像と、ディジタルカメラ制御ソフト１０１による画面上に表示されている画像とは、常に同一の関係にある。
【００８３】
（２）ディジタルカメラ２００がマルチ再生モードである場合
ディジタルカメラ制御ソフト１０１は、上述したように、上記図４に示したような画面を表示部１０３に表示する。この画面上では、前画像表示ボタン３０４と次画像表示ボタン３０３の操作が可能となる。
【００８４】
ユーザから前画像表示ボタン３０４が押下されると、ディジタルカメラ制御ソフト１０１は、その前画像表示ボタン３０４に対応する動作指示を、通信ドライバ１０２を介してディジタルカメラ２００へ与える。これにより、ディジタルカメラ２００では、操作部２０２の「−ボタン」が操作された場合と同様に、液晶画面２０１に現在表示されている所定枚数の画像（ここでは９枚の画像）よりも撮影時間の古い画像のうちの新しい順に所定枚数の画像が液晶画面２０１に表示される。
そして、ディジタルカメラ制御ソフト１０１は、ディジタルカメラ２００の液晶画面２０１に現在表示されている所定枚数の画像（画像表示領域３００に表示されている所定枚数の画像よりも撮影時間の古い画像のうちの新しい順の所定枚数の画像）を、通信ドライバ１０２を介してディジタルカメラ２００から取得し、それらの画像を画像表示領域３００に表示する。
したがって、ディジタルカメラ２００の液晶表示２０１に表示されている各画像と、ディジタルカメラ制御ソフト１０１による画面上に表示されている各画像とは、常に同一の関係にある。
【００８５】
また、ユーザから次画像表示ボタン３０３が押下されると、ディジタルカメラ制御ソフト１０１は、その次画像表示ボタン３０３に対応する動作指示を、通信ドライバ１０２を介してディジタルカメラ２００へ与える。これにより、ディジタルカメラ２００では、操作部２０２の「＋ボタン」が操作された場合と同様に、液晶画面２０１に現在表示されている所定枚数の画像（ここでは９枚の画像）よりも撮影時間の新しい画像のうちの古い順の所定枚数の画像が液晶画面２０１に表示される。
そして、ディジタルカメラ制御ソフト１０１は、ディジタルカメラ２００の液晶画面２０１に現在表示されている所定枚数の画像（画像表示領域３００に表示されている所定枚数の画像よりも撮影時間の新しい画像のうちの古い順の所定枚数の画像）を、通信ドライバ１０２を介してディジタルカメラ２００から取得し、それらの画像を画像表示領域３００に表示する。
したがって、ディジタルカメラ２００の液晶表示２０１に表示されている各画像と、ディジタルカメラ制御ソフト１０１による画面上に表示されている各画像とは、常に同一の関係にある。
【００８６】
（３）ディジタルカメラ２００が撮影モードである場合
ディジタルカメラ制御ソフト１０１は、上述したように、上記図５に示したような画面を表示部１０３に表示する。この画面上では、撮影ボタン３０２の操作が可能となる。
【００８７】
ユーザから撮影ボタン３０２が押下されると、ディジタルカメラ制御ソフト１０１は、その撮影ボタン３０２に対応する動作指示を、通信ドライバ１０２を介してディジタルカメラ２００へ与える。これにより、ディジタルカメラ２００では、撮影が開始され、そのときの画像（動画像）が液晶画面２０１へ表示される。
ディジタルカメラ制御ソフト１０１は、ディジタルカメラ２００にて現在表示されている画像を、通信ドライバ１０２を介してディジタルカメラ２００から取得する。そして、ディジタルカメラ制御ソフト１０１は、その取得した画像を画像表示領域３００に表示する。また、ディジタルカメラ制御ソフト１０１は、ユーザからの指示に基づいて、画像表示領域３００に表示している画像を、ハードディスクの所定領域に保存する等の処理を行う。
【００８８】
［ディジタルカメラ２００での操作に従ったディジタルカメラ制御装置１００の動作について］
上述したように、ディジタルカメラ装置１００において、ディジタルカメラ制御ソフト１０１による画面上の前画像表示ボタン３０４や次画像表示ボタン３０３、撮影ボタン３０２によって、ディジタルカメラ２００に対して各種操作を行うことができる。
ここで、ディジタルカメラ２００の操作部２０２には、図示していないが、ディジタルカメラ制御ソフト１０１による画面上の前画像表示ボタン３０４、次画像表示ボタン３０３、及び撮影ボタン３０２と同等の機能を持つスイッチやボタンが設けられている。例えば、撮影ボタン３０２に対応するボタンとして、ディジタルカメラ２００の操作部２０２には、「レリーズボタン」が設けられている。また、前画像表示ボタン３０４及び次画像表示ボタン３０３に対応するボタンとして、ディジタルカメラ２００の操作部２０２には、「−ボタン」及び「＋ボタン」が設けられている。
そこで、ディジタルカメラ２００に設けられたスイッチやボタンが操作されると、それに対応して、ディジタルカメラ制御装置１００のディジタルカメラ制御ソフト１０１は各種処理を実行するようになされている。
図８は、このときのディジタルカメラ制御装置１００及びディジタルカメラ２００の動作を示したものである。
【００８９】
ステップＳ４２１：
先ず、ディジタルカメラ２００の操作部２０２に設けられたボタンやスイッチのうち、任意のボタン又はスイッチが操作される。
【００９０】
ステップＳ４２２：
ディジタルカメラ２００は、ステップＳ４２１での操作情報を、ディジタルカメラ制御装置１００へ通知する。
ディジタルカメラ制御装置１００において、ディジタルカメラ制御ソフト１０１は、ディジタルカメラ２００からの通知を通信ドライバ１０２を介して取得する。
【００９１】
ステップＳ４２３：
そして、ディジタルカメラ制御ソフト１０１は、ステップＳ４２２にて取得したディジタルカメラ２００からの通知に基づいて、表示部１０３での表示形態の変更等の処理を実行する。
【００９２】
具体的には例えば、ディジタルカメラ２００が撮影モードである場合、ディジタルカメラ制御ソフト１０１は、上記図５に示したような画面を表示部１０３へ表示する。この状態で、ディジタルカメラ２００のレリーズボタンが押下されると、ディジタルカメラ２００は、撮影動作を開始し、それにより取得した画像をディジタルカメラ制御装置１００へと転送する。
これを受けたディジタルカメラ制御装置１００において、ディジタルカメラ制御ソフト１０１は、通信ドライバ１０２を介してディジタルカメラ２００からの画像を取得し、それを画像表示領域３００へ表示する。また、例えば、その画像をハードディスクの所定領域へ保存する。
すなわち、ディジタルカメラ制御装置１００は、ディジタルカメラ２００のレリーズボタンが押下されると、ディジタルカメラ制御ソフト１０１による画面上の撮影ボタン３０２が押下された場合と同様に動作する。そして、ディジタルカメラ２００とディジタルカメラ制御装置１００ではそれぞれ、ディジタルカメラ２００の撮影にて得られた画像が同様にして表示される。
【００９３】
また、ディジタルカメラ２００がシングル再生モードやマルチ再生モードである場合、ディジタルカメラ制御ソフト１０１は、上記図２や図４に示したような画面を表示部１０３へ表示する。この状態で、ディジタルカメラ２００において、液晶画面２０１に表示させる画像を次に進めるための「＋ボタン」や、前に戻すための「−ボタン」が押下されると、ディジタルカメラ２００は、その操作に応じて、次の画像や前の画像を液晶画面２０１に表示し、その画像をディジタルカメラ制御装置１００へと転送する。
これを受けたディジタルカメラ制御装置１００において、ディジタルカメラ制御ソフト１０１は、通信ドライバ１０２を介してディジタルカメラ２００からの画像を取得し、それを画像表示領域３００へ表示する。このとき、ディジタルカメラ２００がマルチ再生モードであるときには、複数の画像がディジタルカメラ２００から転送され、それらを画像が画像表示領域２００に表示されることになる。
このような場合も上述した撮影ボタン操作時と同様に、ディジタルカメラ制御装置１００は、ディジタルカメラ２００の「−ボタン」や「＋ボタン」が押下されると、ディジタルカメラ制御ソフト１０１による画面上の前画像表示ボタン３０４や次画像表示ボタン３０３が押下された場合と同様に動作する。
【００９４】
上述のように、本実施の形態によれば、ディジタルカメラ制御装置１００での表示形態等を、ディジタルカメラ制御装置１００に接続されたディジタルカメラ２００のモードに対応して自動的に切り替えることができると共に、そのモードに応じた操作をユーザに容易に行わせることができる。
また、ディジタルカメラ制御装置１００に対して、ディジタルカメラ２００に設けられた各種スイッチと同等の機能を有するボタンを備える構成としたので、ディジタルカメラ２００側での操作と同等の操作を、ディジタルカメラ制御装置１００側から行うことができる。
さらに、ディジタルカメラ２００をディジタルカメラ制御装置１００に接続した状態（接続中）で、ディジタルカメラ２００のモードを、シングル再生モードやマルチ再生モード等に切り替えることができる。
【００９５】
尚、上述した実施の形態では、パノラマ合成を行うために分割して撮影することを手助けするパノラマアシストモードをディジタルカメラ２００に設け、ディジタルカメラ２００がパノラマアシストモードに設定されている場合には、ディジタルカメラ制御ソフト１０１は、パノラマ合成を行うための上記図６に示したような画面を表示するようにしたが、これに限られることはなく、例えば、パノラマアシストモードとは別のパノラマ合成モードをディジタルカメラ２００に設け、ディジタルカメラ２００がパノラマ合成モードに設定されたときに、ディジタルカメラ制御ソフト１０１は、パノラマ合成を行うための上記図６に示したような画面を表示するようにしてもよい。
【００９６】
また、本発明の目的は、上述した実施の形態のホスト及び端末の機能を実現するソフトウェアのプログラムコードを記憶した記憶媒体を、システム或いは装置に供給し、そのシステム或いは装置のコンピュータ（又はＣＰＵやＭＰＵ）が記憶媒体に格納されたプログラムコードを読みだして実行することによっても、達成されることは言うまでもない。
この場合、記憶媒体から読み出されたプログラムコード自体が本実施の形態の機能を実現することとなり、そのプログラムコードを記憶した記憶媒体は本発明を構成することとなる。
プログラムコードを供給するための記憶媒体としては、ＲＯＭ、フロッピーディスク、ハードディスク、光ディスク、光磁気ディスク、ＣＤ−ＲＯＭ、ＣＤ−Ｒ、磁気テープ、不揮発性のメモリカード等を用いることができる。
また、コンピュータが読みだしたプログラムコードを実行することにより、本実施の形態の機能が実現されるだけでなく、そのプログラムコードの指示に基づき、コンピュータ上で稼動しているＯＳ等が実際の処理の一部又は全部を行い、その処理によって本実施の形態の機能が実現される場合も含まれることは言うまでもない。
さらに、記憶媒体から読み出されたプログラムコードが、コンピュータに挿入された拡張機能ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部又は全部を行い、その処理によって本実施の形態の機能が実現される場合も含まれることは言うまでもない。
【００９７】
【発明の効果】
以上説明したように本発明では、撮像装置（ディジタルカメラ等）を情報処理装置へ接続すると、撮像装置のモードに応じた表示形態で、情報処理装置での表示が自動的に行なわれるように構成したので、ユーザは、撮像装置を所望するモードに設定して情報処理装置へ接続するだけで、撮像装置内の画像の表示、画像の撮影、パノラマ画像の合成等、所望する処理を容易に行うことができる。
また、撮像装置のモードの切り替えに応じて、情報処理装置の表示形態も自動的に切り替わるように構成したので、ユーザは、撮像装置のモードを切り替えるだけで、今までの処理とは異なる処理を行うことができる。
また、情報処理装置側からでも、撮像装置のモードを切り替え等を行なえるように構成し、さらに撮像装置のモードの切り替えに応じて情報処理装置の表示形態も切り替わるように構成したので、ユーザは、撮像装置を直接操作することなく、情報処理装置側から撮像装置を自在に操作することができる。
また、撮像装置の操作に応じて情報処理装置が動作するように構成したので、ユーザは、情報処理装置に操作方法を知らなくても、所望する処理を行うことができる。
【図面の簡単な説明】
【図１】本発明を適用したディジタルカメラ制御装置及びそれに接続されるディジタルカメラの構成を示すブロック図である。
【図２】上記ディジタルカメラ制御装置での画面表示状態（シングル再生モード時）を説明するための図である。
【図３】上記ディジタルカメラ制御装置にディジタルカメラが接続されたときの動作を説明するためのフローチャートである。
【図４】上記ディジタルカメラ制御装置での画面表示状態（マルチ再生モード時）を説明するための図である。
【図５】上記ディジタルカメラ制御装置での画面表示状態（撮影モード時）を説明するための図である。
【図６】上記ディジタルカメラ制御装置での画面表示状態（パノラマアシストモード時）を説明するための図である。
【図７】上記ディジタルカメラ制御装置での操作時の動作を説明するための図である。
【図８】上記ディジタルカメラでの操作時の動作を説明するための図である。
【符号の説明】
１００  ディジタルカメラ制御装置
１０１  ディジタルカメラ制御ソフト
１０２  通信ドライバ
１０３  表示部
２００  ディジタルカメラ
２０１  表示部
２０２  操作部
２０３  メモリ
【図１】
0003762140.tif 000002
【図２】
0003762140.tif 000003
【図３】
0003762140.tif 000004
【図４】
0003762140.tif 000005
【図５】
0003762140.tif 000006
【図６】
0003762140.tif 000007
【図７】
0003762140.tif 000008
【図８】
0003762140.tif 000009